(57)【要約】【課題】記録メディアからの映像データ及び音声データを読み取るローダ部を備える低廉な映像表示装置を提供する。【解決手段】ＤＶＤからの映像データ及び音声データを読み取るＤＶＤローダと、前記ＤＶＤローダによってＤＶＤを再生するＤＶＤモードを含む複数のモードから実行するモードを選択して設定するモード設定部と、音声信号を増幅してラインアウト外部出力端子に供給する増幅部９とを備え、前記モード設定部が前記ＤＶＤモードを選択して設定すると、増幅部９が、前記モード設定部が前記ＤＶＤモード以外のモードを選択して設定しているときに比べて、電圧利得を大きくする映像表示装置。【選択図】図２
2011004145.tif 000002
【特許請求の範囲】
【請求項１】
記録メディアからの映像データ及び音声データを読み取るローダ部と、
前記ローダ部によって前記記録メディアを再生する再生モードを含む複数のモードから実行するモードを選択して設定するモード設定部と、
音声信号を増幅してラインアウト外部出力端子に供給する増幅部とを備え、
前記モード設定部が前記再生モードを選択して設定すると、前記増幅部が、前記モード設定部が前記再生モード以外のモードを選択して設定しているときに比べて、電圧利得を大きくすることを特徴とする映像表示装置。
【請求項２】
ボリューム制御部を備え、
前記ボリューム制御部は、
スピーカに音声信号を出力する出力系統に設けられ、
再生モード用ボリュームテーブルと非再生モード用ボリュームテーブルとが予め記憶されているメモリを有し、前記モード設定部が前記再生モードを選択して設定しているときには、前記再生モード用ボリュームテーブルを参照して音声信号の増幅を行い、
前記モード設定部が前記再生モード以外のモードを選択して設定しているときには、前記非再生モード用ボリュームテーブルを参照して音声信号の増幅を行い、
前記再生モード用ボリュームテーブルと前記非再生モード用ボリュームテーブルはそれぞれ、各ボリューム指定値と前記ボリューム制御部での各電圧利得とが１対１対応しているデータテーブルであり、同一のボリューム指定値に対応する前記ボリューム制御部での電圧利得は、前記再生モード用ボリュームテーブルの方が前記非再生モード用ボリュームテーブルよりも大きいことを特徴とする請求項１に記載の映像表示装置。
【請求項３】
前記モード設定部が、前記再生モードから前記再生モード以外のモードに設定を変更する際、及び／又は、前記再生モード以外のモードから前記再生モードに設定を変更する際、前記増幅部及び前記ボリューム制御部が一時的にミュート動作を行うことを特徴とする請求項１又は請求項２に記載の映像表示装置。
【請求項４】
前記増幅部が、演算増幅器を有し、前記演算増幅器の出力端子と反転入力端子の間に帰還経路を形成し、前記帰還経路上に設けられるスイッチ素子を有し、
前記スイッチ素子が、前記モード設定部が前記再生モードを選択して設定するときに第１の状態になり、前記モード設定部が前記再生モード以外のモードを選択して設定しているときに第２の状態になることを特徴とする請求項１〜３のいずれか１項に記載の映像表示装置。
【請求項５】
前記映像表示装置が液晶テレビジョン装置であり、前記ローダ部がＤＶＤローダである請求項１〜４のいずれか１項に記載の映像表示装置。
【発明の詳細な説明】
【技術分野】
【０００１】
本発明は、映像表示装置に関し、特に記録メディアからの映像データ及び音声データを読み取るローダ部を備える映像表示装置に関する。
【背景技術】
【０００２】
ここでは、記録メディアからの映像データ及び音声データを読み取るローダ部を備える従来の映像表示装置として、ＤＶＤからの映像データ及び音声データを読み取るＤＶＤローダを備える従来の液晶テレビジョン装置を例に挙げて説明する。
【０００３】
図６は、ＤＶＤからの映像データ及び音声データを読み取るＤＶＤローダを備える従来の液晶テレビジョン装置の音声回路の概略構成例を示すブロック図である。図６に示す従来の音声回路は、増幅部１と、ＡＤコンバータ２と、自動ボリュームレベル制御部３と、ボリューム制御部４’と、イコライザー５と、ＤＡコンバータ６と、Ｄ級アンプ７と、ＤＡコンバータ８と、増幅部９’とを備えている。なお、増幅部１及び増幅部９’はそれぞれ、演算増幅器とその周辺回路とを含む回路ブロックである。
【０００４】
外部入力モードである場合、ＡＤコンバータ２は、コンポジット音声入力信号、コンポーネント音声入力信号、ＨＤＭＩアナログ音声入力信号などの外部音声入力信号を、デジタル信号に変換し、自動ボリュームレベル制御部３及びＤＡコンバータ８それぞれに出力する。自動ボリュームレベル制御部３は、ＯＮ設定であれば、自動的にボリュームが所定値になるようにＡＤコンバータ２の出力信号を増幅し、ＯＦＦ設定であれば、ＡＤコンバータ２の出力信号をスルーする。ボリューム制御部４’は、自動ボリュームレベル制御部３がＯＮ設定であれば、自動ボリュームレベル制御部３の出力信号をスルーし、自動ボリュームレベル制御部３がＯＦＦ設定であれば、ボリューム制御部４’内のメモリに予め記憶されているボリュームテーブルを参照して、自動ボリュームレベル制御部３の出力信号を、ボリューム指定値に応じたレベルになるように増幅する。イコライザー５は、ボリューム制御部４’の出力信号を５つの帯域に分け、帯域毎にイコライズする。ＤＡコンバータ６は、イコライザー５の出力信号をアナログ信号に変換する。Ｄ級アンプはＤＡコンバータ６の出力信号を増幅し、スピーカ（不図示）に供給する。また、ＤＡコンバータ８は、ＡＤコンバータ２の出力信号をアナログ信号に変換する。増幅部９’はＤＡコンバータ８の出力信号を増幅し、ラインアウト外部出力端子に供給する。増幅部９’は例えば図７に示すような構成にするとよい。なお、図７において、ＩＮLは増幅部９’のＬチャンネル入力電圧信号であり、ＩＮRは増幅部９’のＲチャンネル入力電圧信号であり、ＯＵＴLは増幅部９’のＬチャンネル出力電圧信号であり、ＯＵＴRは増幅部９’のＲチャンネル出力電圧信号であり、ＰONは液晶テレビジョン装置の電源ＯＮ時に９Ｖとなり液晶テレビジョン装置の電源ＯＦＦ時に０Ｖとなる電源信号であり、ＭＵＴＥはミュート時にＨｉｇｈレベルになり非ミュート時にＬｏｗレベルになる電圧信号（ミュート信号）であり、Ｖｃは定電圧である。
【０００５】
ＤＶＤモードである場合、増幅部１は、ＤＶＤローダ（不図示）から出力されるＤＶＤ再生信号を増幅する。増幅部１は例えば図８に示すような構成にするとよい。なお、図８において、ＩＮLは増幅部１のＬチャンネル入力電圧信号、ＩＮRは増幅部１のＲチャンネル入力電圧信号、ＯＵＴLは増幅部１のＬチャンネル出力電圧信号、ＯＵＴRは増幅部１のＲチャンネル出力電圧信号、ＰONは液晶テレビジョン装置の電源ＯＮ時に９Ｖとなり液晶テレビジョン装置の電源ＯＦＦ時に０Ｖとなる電源信号である。ＡＤコンバータ２は、増幅部１の出力信号を、デジタル信号に変換し、自動ボリュームレベル制御部３及びＤＡコンバータ８それぞれに出力する。以降の動作は、外部入力モードである場合と同様であるので、説明を省略する。
【０００６】
ＴＶモードである場合、チューナ部（不図示）から出力されるデジタル音声信号（チューナ出力）が自動ボリュームレベル制御部３及びＤＡコンバータ８それぞれに供給される。以降の動作は、外部入力モードである場合やＤＶＤモードである場合と同様であるので、説明を省略する。
【先行技術文献】
【特許文献】
【０００７】
【特許文献１】特開２００３−８７１４２号公報（段落００７８）
【特許文献２】特開平６−３０３５７号公報（段落０００５）
【特許文献３】特開２００６−１９７７０号公報
【発明の概要】
【発明が解決しようとする課題】
【０００８】
ＤＶＤローダ（不図示）から出力されるＤＶＤ再生信号のレベルは、コンポジット音声入力信号、コンポーネント音声入力信号、ＨＤＭＩアナログ音声入力信号などの外部音声入力信号のレベルやチューナ出力のレベルと比べて低い。そこで、図６に示す構成では、ＤＶＤローダ（不図示）から出力されるＤＶＤ再生信号を増幅する増幅部１を設けることで、ＤＶＤモード選択時に音声出力レベルが他のモード選択時に比べて低くなることを防止していた。
【０００９】
しかしながら、この増幅部１の設置が、音声回路ひいては液晶テレビジョン装置全体のコストアップの要因になっていた。
【００１０】
なお、特許文献１では、入力された音声信号の出力音量を、時間帯毎に予め設定した音量レベルに基づいて所定の音量に自動調整して出力する音量調整装置が開示されている。しかし、当該音量調整装置は、ＤＶＤローダを内蔵しておらず、ＤＶＤ再生装置から出力されるＤＶＤ再生信号を外部入力信号として入力しているため、上記課題とは無関係である。
【００１１】
また、特許文献２において開示されている装置では、複数の音声ソースを１系統で処理しているため、外部音声入力信号とＤＶＤ再生信号とを別系統にした構成において生じている上記課題とは無関係である。
【００１２】
また、特許文献３では、番組や音声ソースなどが切り替えられたときに適正な音量に自動的に設定可能として、ユーザにとっての取り扱いを便利にし得る放送受信装置が開示されている。しかし、当該放送受信装置は、記録メディアからの映像データ及び音声データを読み取るローダ部（例えばＤＶＤローダ）を内蔵していないため、上記課題とは無関係である。
【００１３】
本発明は、上記の状況に鑑み、記録メディアからの映像データ及び音声データを読み取るローダ部を備える低廉な映像表示装置を提供することを目的とする。
【課題を解決するための手段】
【００１４】
上記目的を達成するために本発明に係る映像表示装置は、記録メディアからの映像データ及び音声データを読み取るローダ部と、前記ローダ部によって前記記録メディアを再生する再生モードを含む複数のモードから実行するモードを選択して設定するモード設定部と、音声信号を増幅してラインアウト外部出力端子に供給する増幅部とを備え、前記モード設定部が前記再生モードを選択して設定すると、前記増幅部が、前記モード設定部が前記再生モード以外のモードを選択して設定しているときに比べて、電圧利得を大きくする構成とする。
【００１５】
このような構成によると、再生モード選択・設定時に増幅部の電圧利得が他のモード選択・設定時に比べて自動的に大きくなるので、再生モード選択・設定時時にラインアウト外部出力端子に供給される音声信号のレベルが他のモード選択・設定時に比べて低くなることを防止することができる。
【００１６】
また、ボリューム制御部を備え、前記ボリューム制御部は、スピーカに音声信号を出力する出力系統に設けられ、再生モード用ボリュームテーブルと非再生モード用ボリュームテーブルとが予め記憶されているメモリを有し、前記モード設定部が前記再生モードを選択して設定しているときには、前記再生モード用ボリュームテーブルを参照して音声信号の増幅を行い、前記モード設定部が前記再生モード以外のモードを選択して設定しているときには、前記非再生モード用ボリュームテーブルを参照して音声信号の増幅を行い、前記再生モード用ボリュームテーブルと前記非再生モード用ボリュームテーブルはそれぞれ、各ボリューム指定値と前記ボリューム制御部での各電圧利得とが１対１対応しているデータテーブルであり、同一のボリューム指定値に対応する前記ボリューム制御部での電圧利得は、前記再生モード用ボリュームテーブルの方が前記非再生モード用ボリュームテーブルよりも大きいことが望ましい。
【００１７】
このような構成によると、再生モード選択・設定時にボリューム制御部が再生モード用ボリュームテーブルを用いるようにして、同一のボリューム指定値に対応するボリューム制御部での電圧利得を他のモード選択・設定時に比べて大きくしているので、再生モード選択・設定時にスピーカに供給される音声信号のレベルが他のモード選択・設定時に比べて低くなることを防止することができる。
【００１８】
ノイズ音発生防止の観点から、前記モード設定部が、前記再生モードから前記再生モード以外のモードに設定を変更する際、及び／又は、前記再生モード以外のモードから前記再生モードに設定を変更する際、前記増幅部及び前記ボリューム制御部が一時的にミュート動作を行うことが望ましい。
【００１９】
また、前記増幅部が、演算増幅器を有し、前記演算増幅器の出力端子と反転入力端子の間に帰還経路を形成し、前記帰還経路上に設けられるスイッチ素子を有し、前記スイッチ素子が、前記モード設定部が前記再生モードを選択して設定するときに第１の状態になり、前記モード設定部が前記再生モード以外のモードを選択して設定しているときに第２の状態になるようにしてもよい。なお、第１の状態がオン状態であれば、第２の状態がオフ状態であり、第１の状態がオフ状態であれば、第２の状態がオン状態である。
【００２０】
また、前記映像表示装置を液晶テレビジョン装置とし、前記ローダ部をＤＶＤローダとしてもよい。
【発明の効果】
【００２１】
本発明によると、記録メディアからの映像データ及び音声データを読み取るローダ部を備える低廉な映像表示装置を実現することができる。
【図面の簡単な説明】
【００２２】
【図１】本発明の一実施形態に係る液晶テレビジョン装置の概略構成を示すブロック図である。
【図２】図１に示す液晶テレビジョン装置が備える音声回路の構成を示すブロック図である。
【図３】図２に示す音声回路に設けられ、ＤＡコンバータの出力信号を増幅する増幅部の一構成例を示す図である。
【図４】ＤＶＤモードから非ＤＶＤモードへの移行動作を説明するためのフローチャートである。
【図５】ＤＶＤモードから非ＤＶＤモードへの移行動作を説明するためのタイムシーケンス図である。
【図６】ＤＶＤからの映像データ及び音声データを読み取るＤＶＤローダを備える従来の液晶テレビジョン装置の音声回路の概略構成例を示すブロック図である。
【図７】図６に示す従来の音声回路に設けられ、ＤＡコンバータの出力信号を増幅する増幅部の一構成例を示す図である。
【図８】図６に示す従来の音声回路に設けられ、ＤＶＤ再生信号を増幅する増幅部の一構成例を示す図である。
【発明を実施するための形態】
【００２３】
本発明の実施形態について図面を参照して以下に説明する。ここでは、記録メディアからの映像データ及び音声データを読み取るローダ部を備える本発明に係る映像表示装置として、ＤＶＤからの映像データ及び音声データを読み取るＤＶＤローダを備える液晶テレビジョン装置を例に挙げて説明する。本発明の一実施形態に係る液晶テレビジョン装置の概略構成を図１に示す。
【００２４】
図１に示す本発明に係る液晶テレビジョン装置は、装置全体を制御するマイクロコンピュータ（以下、マイコンという）１０と、リモコン受光部１１と、操作キー１２と、チューナ部１３と、ＤＶＤローダ１４と、映像回路１５と、音声回路１６と、液晶表示部１７と、スピーカ１８とを含んでいる。チューナ部１３は、アンテナ（不図示）から受け取ったテレビ放送信号の選局及びデジタル復調を行う。ＤＶＤローダ１４は、ＤＶＤからの映像データ及び音声データを読み取り、ＤＶＤ再生信号を出力する。映像回路１５は、チューナ部１３、ＤＶＤローダ１４、又は外部映像入力端子（不図示）から受け取った映像信号に各種処理（例えば輝度補正やガンマ補正など）を施し、その各種処理を施した映像信号を液晶表示部１７に出力する。液晶表示部１７は映像回路１５の出力信号に基づく表示を行う。音声回路１６は、チューナ部１３、ＤＶＤローダ１４、又は外部音声入力端子（不図示）から受け取った音声信号に各種処理（例えば音量調整など）を施し、その各種処理を施した音声信号をスピーカ１８及び外部音声出力端子（不図示）に出力する。
【００２５】
リモコン受光部１１はリモコン送信機（不図示）からの赤外線信号に応じた指示信号をマイコン１０に出力する。操作キー１２はユーザのキー操作に応じた指示信号をマイコン１０に出力する。マイコン１０は、リモコン受光部１１又は操作キー１２からの指示信号に基づき、装置全体の動作を制御する。例えば、マイコン１０は、チューナ部１３による選局動作を制御する。また、マイコン１０は、リモコン受光部１１又は操作キー１２からの指示信号に基づき、外部入力モード、ＤＶＤモード、ＴＶモードのいずれかを選択する。また、マイコン１０は、リモコン受光部１１又は操作キー１２からの指示信号に基づき、後述する自動ボリュームレベル制御部３（図２参照）のＯＮ／ＯＦＦ設定を切り替える。
【００２６】
次に、音声回路１６の構成を図２に示す。なお、図２において図６と同一の部分には同一の符号を付す。音声回路１６は、図２に示す通り、ＡＤコンバータ２と、自動ボリュームレベル制御部３と、ボリューム制御部４と、イコライザー５と、ＤＡコンバータ６と、Ｄ級アンプ７と、ＤＡコンバータ８と、増幅部９とを備えている。音声回路１６は、図６に示す従来の音声回路から、増幅部１を取り除き、ボリューム制御部４’をボリューム制御部４に置換し、増幅部９’を増幅部９に置換した構成である。なお、増幅部９は、演算増幅器とその周辺回路とを含む回路ブロックである。
【００２７】
ボリューム制御部４は、非ＤＶＤモード用ボリュームテーブルとＤＶＤモード用ボリュームテーブルとが予め記憶されているメモリ（不図示）を有している。非ＤＶＤモード用ボリュームテーブルは、各ボリューム指定値とボリューム制御部４での各電圧利得とが１対１対応しているデータテーブルである。ＤＶＤモード用ボリュームテーブルも、非ＤＶＤモード用ボリュームテーブルと同様、各ボリューム指定値とボリューム制御部４での各電圧利得とが１対１対応しているデータテーブルである。ただし、同一のボリューム指定値に対応するボリューム制御部４での電圧利得は、ＤＶＤモード用ボリュームテーブルの方が非ＤＶＤモード用ボリュームテーブルよりも大きくなっている。
【００２８】
ここで、増幅部９の構成例を図３に示す。なお、図３において図７と同一の部分には同一の符号を付す。図３に示す構成例の増幅部９は、図７に示す構成例の増幅部９’に、電圧利得切替用トランジスタＱ１及びＱ２と、電圧利得切替用トランジスタＱ１のベースに接続されるベース抵抗Ｒ３Lと、電圧利得切替用トランジスタＱ２のベースに接続されるベース抵抗Ｒ３Rとを追加した構成である。なお、図３において、ＩＮLは増幅部９のＬチャンネル入力電圧信号であり、ＩＮRは増幅部９のＲチャンネル入力電圧信号であり、ＯＵＴLは増幅部９のＬチャンネル出力電圧信号であり、ＯＵＴRは増幅部９のＲチャンネル出力電圧信号であり、ＰONは液晶テレビジョン装置の電源ＯＮ時に９Ｖとなり液晶テレビジョン装置の電源ＯＦＦ時に０Ｖとなる電源信号であり、ＭＵＴＥはミュート時にＨｉｇｈレベルになり非ミュート時にＬｏｗレベルになる電圧信号（ミュート信号）であり、Ｖｃは定電圧である。また、ＤＶＤONは、ＤＶＤモード時に３．３Ｖとなり非ＤＶＤモード（外部入力モード、ＴＶモード）時に０ＶとなるＤＶＤローダ用電源信号である。マイコン１０（図１参照）は、ベース抵抗Ｒ３Lを介して電圧利得切替用トランジスタＱ１のベースに、ベース抵抗Ｒ３Rを介して電圧利得切替用トランジスタＱ２のベースに、それぞれ電源信号ＤＶＤONを供給している。
【００２９】
ＤＶＤモードである場合、電圧利得切替用トランジスタＱ１及びＱ２がともにＯＮになるため、増幅部９のＬチャンネル電圧利得ＧL（＝ＯＵＴL／ＩＮL）は以下の（１）式で表され、増幅部９のＲチャンネル電圧利得ＧR（＝ＯＵＴR／ＩＮR）は以下の（２）式で表される。ただし、（１）式中のＲ１L、Ｒ２Lはそれぞれ、抵抗Ｒ１Lの抵抗値、抵抗Ｒ２Lの抵抗値を示し、（２）式中のＲ１R、Ｒ２Rはそれぞれ、抵抗Ｒ１Rの抵抗値、抵抗Ｒ２Rの抵抗値を示している。
ＧL＝１＋Ｒ１L／Ｒ２L  …（１）
ＧR＝１＋Ｒ１R／Ｒ２R  …（２）
【００３０】
一方、非ＤＶＤモード（外部入力モード、ＴＶモード）である場合、電圧利得切替用トランジスタＱ１及びＱ２がともにＯＦＦになるため、上記（１）式中のＲ２Lの値は抵抗Ｒ２Lの実際の抵抗値ではなくほぼ無限大となり、上記（２）式中のＲ２Rの値は抵抗Ｒ２Rの実際の抵抗値ではなくほぼ無限大となる。したがって、非ＤＶＤモード（外部入力モード、ＴＶモード）である場合、増幅部９のＬチャンネル電圧利得ＧL（＝ＯＵＴL／ＩＮL）は以下の（３）式で表され、増幅部９のＲチャンネル電圧利得ＧR（＝ＯＵＴR／ＩＮR）は以下の（４）式で表される。
ＧL≒１  …（３）
ＧR≒１  …（４）
【００３１】
再び図２に戻り、音声回路１６の動作について説明する。
【００３２】
外部入力モードである場合、ＡＤコンバータ２は、マイコン１０（図１参照）からの指示に従って、コンポジット音声入力信号、コンポーネント音声入力信号、ＨＤＭＩアナログ音声入力信号などの外部音声入力信号を、デジタル信号に変換し、自動ボリュームレベル制御部３及びＤＡコンバータ８それぞれに出力する。自動ボリュームレベル制御部３は、ＯＮ設定であれば、自動的にボリュームが所定値になるようにＡＤコンバータ２の出力信号を増幅し、ＯＦＦ設定であれば、ＡＤコンバータ２の出力信号をスルーする。ボリューム制御部４は、自動ボリュームレベル制御部３がＯＮ設定であれば、自動ボリュームレベル制御部３の出力信号をスルーし、自動ボリュームレベル制御部３がＯＦＦ設定であれば、マイコン１０から通知されるボリューム指示値を受け取り、ボリューム制御部４内のメモリに予め記憶されている非ＤＶＤモード用ボリュームテーブルを参照して、自動ボリュームレベル制御部３の出力信号を、ボリューム指定値に応じたレベルになるように増幅する。イコライザー５は、マイコン１０（図１参照）からの指示に従って、ボリューム制御部４の出力信号を５つの帯域に分け、帯域毎にイコライズする。ＤＡコンバータ６は、イコライザー５の出力信号をアナログ信号に変換する。Ｄ級アンプはＤＡコンバータ６の出力信号を増幅し、スピーカ１８（図１参照）に供給する。また、ＤＡコンバータ８は、ＡＤコンバータ２の出力信号をアナログ信号に変換する。増幅部９は、電圧利得切替用トランジスタＱ１及びＱ２（図３参照）がＯＦＦであるため、ＤＡコンバータ８の出力信号を電圧利得ほぼ１で増幅し、ラインアウト外部出力端子に供給する。
【００３３】
ＤＶＤモードである場合、ＡＤコンバータ２は、マイコン１０（図１参照）からの指示に従って、ＤＶＤローダ１４（図１参照）から出力されるＤＶＤ再生信号を、デジタル信号に変換し、自動ボリュームレベル制御部３及びＤＡコンバータ８それぞれに出力する。自動ボリュームレベル制御部３は、ＯＮ設定であれば、自動的にボリュームが所定値になるようにＡＤコンバータ２の出力信号を増幅し、ＯＦＦ設定であれば、ＡＤコンバータ２の出力信号をスルーする。ボリューム制御部４は、自動ボリュームレベル制御部３がＯＮ設定であれば、自動ボリュームレベル制御部３の出力信号をスルーし、自動ボリュームレベル制御部３がＯＦＦ設定であれば、マイコン１０から通知されるボリューム指示値を受け取り、ボリューム制御部４内のメモリに予め記憶されているＤＶＤモード用ボリュームテーブルを参照して、自動ボリュームレベル制御部３の出力信号を、ボリューム指定値に応じたレベルになるように増幅する。イコライザー５は、マイコン１０（図１参照）からの指示に従って、ボリューム制御部４の出力信号を５つの帯域に分け、帯域毎にイコライズする。ＤＡコンバータ６は、イコライザー５の出力信号をアナログ信号に変換する。Ｄ級アンプはＤＡコンバータ６の出力信号を増幅し、スピーカ１８（図１参照）に供給する。また、ＤＡコンバータ８は、ＡＤコンバータ２の出力信号をアナログ信号に変換する。増幅部９は、電圧利得切替用トランジスタＱ１及びＱ２（図３参照）がＯＮであるため、ＤＡコンバータ８のＬチャンネル出力信号を電圧利得（１＋Ｒ１L／Ｒ２L）で増幅し、Ｌチャンネルラインアウト外部出力端子に供給し、ＤＡコンバータ８のＲチャンネル出力信号を電圧利得（１＋Ｒ１R／Ｒ２R）で増幅し、Ｒチャンネルラインアウト外部出力端子に供給する。なお、上記のＲ１L、Ｒ２L、Ｒ１R、Ｒ２Rはそれぞれ、抵抗Ｒ１L（図３参照）の抵抗値、抵抗Ｒ２L（図３参照）の抵抗値、抵抗Ｒ１R（図３参照）の抵抗値、抵抗Ｒ２R（図３参照）の抵抗値を示している。
【００３４】
ＴＶモードである場合、チューナ部１３（図１参照）から出力されるデジタル音声信号（チューナ出力）が自動ボリュームレベル制御部３及びＤＡコンバータ８それぞれに供給される。自動ボリュームレベル制御部３は、ＯＮ設定であれば、自動的にボリュームが所定値になるようにＡＤコンバータ２の出力信号を増幅し、ＯＦＦ設定であれば、ＡＤコンバータ２の出力信号をスルーする。ボリューム制御部４は、自動ボリュームレベル制御部３がＯＮ設定であれば、自動ボリュームレベル制御部３の出力信号をスルーし、自動ボリュームレベル制御部３がＯＦＦ設定であれば、マイコン１０から通知されるボリューム指示値を受け取り、ボリューム制御部４内のメモリに予め記憶されている非ＤＶＤモード用ボリュームテーブルを参照して、自動ボリュームレベル制御部３の出力信号を、ボリューム指定値に応じたレベルになるように増幅する。イコライザー５は、マイコン１０（図１参照）からの指示に従って、ボリューム制御部４の出力信号を５つの帯域に分け、帯域毎にイコライズする。ＤＡコンバータ６は、イコライザー５の出力信号をアナログ信号に変換する。Ｄ級アンプはＤＡコンバータ６の出力信号を増幅し、スピーカ１８（図１参照）に供給する。また、ＤＡコンバータ８は、ＡＤコンバータ２の出力信号をアナログ信号に変換する。増幅部９は、電圧利得切替用トランジスタＱ１及びＱ２（図３参照）がＯＦＦであるため、ＤＡコンバータ８の出力信号を電圧利得ほぼ１で増幅し、ラインアウト外部出力端子に供給する。
【００３５】
音声回路１６では、ＤＶＤモード選択時に増幅部９の電圧利得を他のモード選択時に比べて自動的に大きくしているので、ＤＶＤモード選択時にラインアウト外部出力端子に供給される音声信号のレベルが他のモード選択時に比べて低くなることを防止することができる。
【００３６】
また、音声回路１６では、ＤＶＤモード選択時にボリューム制御部４がＤＶＤモード用ボリュームテーブルを用いるようにして、同一のボリューム指定値に対応するボリューム制御部４での電圧利得を他のモード選択時に比べて大きくしているので、たとえ自動ボリュームレベル制御部３がＯＦＦ設定であっても、ＤＶＤモード選択時にスピーカ１８に供給される音声信号のレベルが他のモード選択時に比べて低くなることを防止することができる。
【００３７】
音声回路１６では、図６に示す従来の音声回路のようにＤＶＤローダから出力されるＤＶＤ再生信号を増幅する増幅部１を設ける必要がないので、低コスト化を図ることができる。
【００３８】
また、ノイズ音発生防止の観点から、ＤＶＤモードから非ＤＶＤモード（外部入力モード、ＴＶモード）への移行動作の際、及び、非ＤＶＤモード（外部入力モード、ＴＶモード）からＤＶＤモードへの移行動作の際には、ボリューム制御部４及び増幅部９においてミュート動作を行うことが望ましい。
【００３９】
ここでは、ＤＶＤモードから非ＤＶＤモードへの移行動作を例に挙げて説明する。図４はＤＶＤモードから非ＤＶＤモードへの移行動作を説明するためのフローチャートであり、図５はＤＶＤモードから非ＤＶＤモードへの移行動作を説明するためのタイムシーケンス図である。
【００４０】
ＤＶＤモードである場合、マイコン１０は、リモコン受光部１１又は操作キー１２からモード切替指示信号が送られてきたか否かを判定しており（ステップＳ１０）、モード切替指示信号が送られてきたら（ステップＳ１０のＹｅｓ）、ミュート信号ＭＵＴＥのレベルをＬｏｗレベルからＨｉｇｈレベルに変更する（ステップＳ２０、図５のｔ１時点）。
【００４１】
ミュート信号ＭＵＴＥがＨｉｇｈレベルになると、ボリューム制御部４がミュート動作を開始する（ステップＳ３０、図５のｔ１時点）。かかる動作を実現するために、ボリューム制御部４は、ミュート信号ＭＵＴＥを入力しており、ミュート信号ＭＵＴＥがＨｉｇｈレベルである場合、マイコン１０から通知されるボリューム指示値にかかわらず、電圧利得を零にする動作、すなわちミュート動作を行う構成にすればよい。また、ミュート信号ＭＵＴＥがＨｉｇｈレベルになると、増幅部９もミュート動作を開始する（ステップＳ３０）。
【００４２】
ステップＳ３０に続くステップＳ４０において、マイコン１０は、ＤＡコンバータ６及び８の出力を停止させ、その後、ＤＶＤローダ用電源信号ＤＶＤローダ用電源信号ＤＶＤONを３．３Ｖから０Ｖに変更する（ステップＳ５０、図５のｔ２時点）。また、ステップＳ５０の開始と同時に、ステップＳ６０の処理も開始される。ステップＳ６０では、ボリューム制御部４が、使用するボリュームテーブルをＤＶＤモード用ボリュームテーブルから非ＤＶＤモード用ボリュームテーブルに変更する動作を開始し（図５のｔ２時点）、ＤＶＤモード用ボリュームテーブルから非ＤＶＤモード用ボリュームテーブルに変更する動作が終了すると（図５のｔ３時点）、ステップＳ７０に移行する。
【００４３】
ステップＳ７０では、マイコン１０は、ＤＡコンバータ６及び８の出力を再開させる。続くステップＳ８０において、マイコン１０は、ミュート信号ＭＵＴＥのレベルをＨｉｇｈレベルからＬｏｗレベルに変更する（図５のｔ４時点）。ミュート信号ＭＵＴＥがＬｏｗレベルになると、ボリューム制御部４及び増幅部９がともにミュート動作を終了し（ステップＳ９０、図５のｔ４時点）、ＤＶＤモードから非ＤＶＤモードへの移行が完了する。
【００４４】
以上、本発明に係る実施形態について説明したが、本発明の範囲はこれに限定されるものではなく、発明の主旨を逸脱しない範囲で種々の変更を加えて実行することができる。
【００４５】
例えば、ＤＶＤローダ１４の代わりに、ブルーレイディスクからの映像データ及び音声データを読み取るＢＤローダを設けても構わない。また、例えば、自動ボリュームレベル制御部３を常時ＯＮ設定にするのであれば、ボリューム制御部４の代わりに従来の音声回路で用いられていたボリューム制御部４’を設けても構わない。
【符号の説明】
【００４６】
１  増幅部
２  ＡＤコンバータ
３  自動ボリュームレベル制御部
４、４’  ボリューム制御部
５  イコライザー
６  ＤＡコンバータ
７  Ｄ級アンプ
８  ＤＡコンバータ
９、９’  増幅部
１０  マイコン
１１  リモコン受光部
１２  操作キー
１３  チューナ部
１４  ＤＶＤローダ
１５  映像回路
１６  音声回路
１７  液晶表示部
１８  スピーカ
Ｑ１、Ｑ２  電圧利得切替用トランジスタ
Ｒ１L、Ｒ１R、Ｒ２L、Ｒ２R  抵抗
Ｒ３L、Ｒ３R  ベース抵抗
【図１】
2011004145.tif 000003
【図２】
2011004145.tif 000004
【図３】
2011004145.tif 000005
【図４】
2011004145.tif 000006
【図５】
2011004145.tif 000007
【図６】
2011004145.tif 000008
【図７】
2011004145.tif 000009
【図８】
2011004145.tif 000010